(57)【要約】【課題】簡単な構成でゴーストのない表示を行う車両用表示装置を提供する。【解決手段】光源３０からの光によって発光する表示意匠２２が付された文字板２１と、該文字板２１の前面側に設けられる表ガラス５１と、を備え、前記表示意匠２２の発した光が前記表ガラス５１を介して車両のアイレンジＥＲから視認される車両用表示装置において、前記表示意匠２２の発した光を前記表ガラス５１の内面にて前記文字板２１側に反射した際に、前記文字板２１が該反射光を前記アイレンジＥＲから外れた方向に反射するような形状で前記文字板２１を形成したことを特徴とする。【選択図】      図２
2004361260.tif 000002
【特許請求の範囲】
【請求項１】
光源からの光によって発光する表示意匠が付された文字板と、該文字板の前面側に設けられる表ガラスと、を備え、前記表示意匠の発した光が前記表ガラスを介して車両のアイレンジから視認される車両用表示装置において、
前記表示意匠の発した光を前記表ガラスの内面にて前記文字板側に反射した際に、前記文字板が該反射光を前記アイレンジから外れた方向に反射するような形状で前記文字板を形成した
ことを特徴とする車両用表示装置。
【請求項２】
前記文字板は、前記透光性材料で形成しており、
前記文字板の前面側に設けられて前記表示意匠と協働して計測量を指示する指針を含む指針機構と、
前記文字板の背面側に設けられ、該文字板及び前記表ガラスを介して視認される表示デバイスと、
をさらに備えることを特徴とする請求項１に記載の車両用表示装置。
【発明の詳細な説明】
【０００１】
【発明の属する技術分野】
本発明は、車両用表示装置に関し、より詳細には、光源からの光によって発光する表示意匠が付された文字板と、該文字板の前面側に設けられる表ガラスと、を備え、前記表示意匠の発した光が前記表ガラスを介して車両のアイレンジから視認される車両用表示装置に関するものである。
【０００２】
【従来の技術】
一般に車両には、車両速度及びエンジン回転数等の計測値を表示する車両用表示装置が搭載されており、この指針式表示装置における文字板の照明構造には、エッジライト方式がある。そして、エッジライト方式の文字板照明用導光構造を有するメータ構造には、光源をダイオードで構成し、かつ文字板意匠を形成した平板上導光板とウォーニング意匠を形成した遮光板とを離隔させて設けることで、組立が容易、かつ、奥行きのある遠近感を持たせた表示が可能なメータ構造が提案されている（特許文献１参照）。
【０００３】
図８は従来のエッジライト方式を用いた車両用表示装置の構成例を示す図である。図８において、車両用表示装置は、メータフード６１に取り付けられており、透光性部材によって平板状に形成された文字板（平板上導光板）２１を備える。そして、この文字板２１の外周端面には、光源３０を対向配置しているとともに、文字板２１の前面側には、表ガラス５１を配置している。また、文字板２１の裏面には、目盛、記号、数字等の表示意匠２２を施している。
【０００４】
光源３０が発した光は、外周端面から文字板２１内に入射され、表示意匠２２に導光される。そして、その導光された光によって表示意匠２２を発光させ、この光を車両のアイレンジＥＲから表ガラス５１を介して運転者等に視認させることで、運転者等に表示意匠２２を視認させている。
【０００５】
【特許文献１】
特開２０００−２８３９９号公報  （第３−４頁、第１図）
【０００６】
【発明が解決しようとする課題】
しかしながら、図８中の光路Ｌ１，Ｌ２に示すように、表示意匠２２で反射した光が、文字板２１から出射して表ガラス５１の裏面にて文字板２１側に反射し、この光が文字板２１の表面にて反射し、この反射光が表ガラス５１を通過してアイレンジＥＲに到達すると、運転者等から文字板２１の表示意匠２２以外の箇所が光って見えてしまうというゴーストが発生し、表示意匠２２が見えにくくなってしまうという視認性不良の問題が発生していた。この問題は、文字板２１が平板上導光板でない場合でも、その表面が黒色以外の明るい色である場合に発生する問題である。
【０００７】
図９は図８の車両用表示装置における問題を解決する構成の一例を示す図である。図８に示すように、車両のフロントガラスへの映り込み防止には、奥行きＤ１のメータフード６１で十分な場合に、それよりも長い奥行きＤ２とし、破線で示す表ガラス５１をアイレンジＥＲ側に倒すように表ガラス５１’を配置することで、表示意匠２２で反射した光は、光路Ｇ３のように、表ガラス５１’の裏面で反射した反射光が表ガラス５１’を通過してアイレンジＥＲから外れた方向に向かい、また、光路Ｇ４のように、その反射光がメータフード６１に向かうので、ゴーストの発生を防止することができる。しかしながら、上述した構成ではメータフード６１を必要以上に大型化する必要があり、車両の車両用表示装置の設置スペースを必要以上に確保しなければならないという問題が発生する。
【０００８】
また、別の解決方法としては、文字板２１の表面にＡＲ（Ａｎｔｉ  Ｒｅｆｌｅｃｔｉｏｎ）処理を施したり、シボ加工を施したりすることで、文字板２１の表面における反射を抑えることが考えられるが、この場合には表示意匠がぼけたり、コスト高となるという別の問題が生じる。
【０００９】
よって本発明は、上述した問題点に鑑み、簡単な構成でゴーストのない表示を行う車両用表示装置を提供することを課題としている。
【００１０】
【課題を解決するための手段】
上記課題を解決するため本発明によりなされた請求項１記載の車両用表示装置は、光源からの光によって発光する表示意匠が付された文字板と、該文字板の前面側に設けられる表ガラスと、を備え、前記表示意匠の発した光が前記表ガラスを介して車両のアイレンジから視認される車両用表示装置において、前記表示意匠の発した光を前記表ガラスの内面にて前記文字板側に反射した際に、前記文字板が該反射光を前記アイレンジから外れた方向に反射するような形状で前記文字板を形成したことを特徴とする。
【００１１】
上記請求項１に記載した本発明の車両用表示装置によれば、文字板の表示意匠が発した光が表ガラスの裏面で文字板２１に向かって反射すると、この反射光は文字板の表面にて車両のアイレンジから外れた方向に向かって反射される。よって、表ガラスの裏面で文字板側で反射した反射光を、車両のアイレンジから外れた方向に反射するように文字板を形成していることから、その反射光が運転者等に視認されることがないため、簡単な構成でゴーストのない表示を行うことができる車両用表示装置を提供することができる。
【００１２】
上記課題を解決するためになされた請求項２記載の発明は、請求項１に記載の車両用表示装置において、前記文字板は、前記透光性材料で形成しており、前記文字板の前面側に設けられて前記表示意匠と協働して計測量を指示する指針を含む指針機構と、前記文字板の背面側に設けられ、該文字板及び前記表ガラスを介して視認される表示デバイスと、をさらに備えることを特徴とする。
【００１３】
上記請求項２に記載した本発明の車両用表示装置によれば、透明な文字板上に視認される表示意匠と指針と協働して計測量が指示される。そして、表示デバイスの発する光が文字板及び表ガラスを通過してアイレンジに到達することで、表示デバイスの表示内容が視認される。よって、表示デバイスを文字板及び表ガラスを介して視認させるために、文字板を反射率の高い透明部材で形成しても、表ガラスの裏面で文字板側で反射した反射光を、車両のアイレンジから外れた方向に反射するように文字板を形成していることから、その反射光が運転者等に視認されることがないため、確実にゴーストの発生を防止することができる。
【００１４】
【発明の実施の形態】
以下、本発明に係る車両用表示装置の一実施の形態を、図１〜図７の図面を参照して説明する。なお、従来の技術のところで説明したものと同一あるいは相当する部分には同一符号を付してその詳細な説明は省略する。
【００１５】
ここで、図１は本発明に係る車両用表示装置の正面図の一例を示す図であり、図２は図１の直線Ａ−Ａを通る矢印方向の断面図であり、図３は図１の直線Ｂ−Ｂを通る文字板及び表ガラスの断面図であり、図４は本発明に係る文字板の正面、側面、断面の一例を示す図である。
【００１６】
図１〜３に示すように、本車両用表示装置は、メータモジュール１と、表ガラス５１と、見返し８２と、を備え、メータフード６１に取付けられている。そして、見返し８２の前端には、表ガラス５１が取り付けられている。
【００１７】
メータモジュール１は、指針１６およびムーブメント１２を含む指針機構１０と、文字板２１とが一体化されている。そして、ムーブメント１２は、例えばステッパーモータであり、基板１７に固定され、その回転軸１２ａに取り付けられた指針１６に動力を伝達する。
【００１８】
指針１６は、ムーブメント１２を動力源として、文字板２１の前面側を回転軸１２ａを中心にして所定の回動範囲内で回動しつつ、文字板２１の裏面側に施された表示意匠２２を指示する。そして、指針１６は、導光性を有する先細りの透明樹脂製であり、その指示部の下面には指示部を所定色で光輝させるためのホットスタンプ層（図示しない）が形成されている。また、指針１６の基部には、基板１７に配置された指針光源（図示せず）からの光を受光面を有し、この受光面から受光した光を指示部に導光してホットスタンプ層を光輝させる。
【００１９】
なお、本実施の形態では、表示意匠２２が、スピードメータにおける速度を示す数字や目盛の場合について説明するが、タコメータの場合はエンジン回転数を示す数字や目盛というように、表示対象に応じて表示意匠２２は変化するものである。
【００２０】
文字板２１は、図４（ａ）の正面図に示すように、たとえば、透光性部材によって略円形状に形成され、穴状もしくは透明のシースルー領域２１ａと、アナログ表示用の表示意匠が形成されたアナログ表示領域２１ｂとを有する。そして、シースルー領域２１ａは、文字板２１の中心から所定の半径を有する略円形状をしており、アナログ表示領域２１ｂは、このシースルー領域２１ａを囲むような所定幅のリング状をしている。
【００２１】
文字板２１は、図４（ｂ）及び（ｃ）に示すように、表示意匠２２の発した光を表ガラス５１の内面にて文字板２１側に反射した際に、文字板２１が該反射光を、ドライバシートに着座したドライバ等のアイポイントＥＰを有する車両のアイレンジＥＲ（マージンを含む、図２参照）から外れた方向に反射するように、アナログ表示領域２１ｂの箇所を略円錐状に形成している。
【００２２】
この文字板２１の形状は、文字板２１と表ガラス５１を組み合わせ、文字板２１の表示のゴーストが、アイレンジＥＲから外れるように、例えば、文字板２１と表ガラス５１とのお互いの角度や曲率などを変化させることで、その形状を決定して設計される。
【００２３】
アナログ表示領域２１ｂの表示意匠２２は、アナログ表示領域２１ｂの裏面に、明色系、蛍光等の塗料を印刷したり、彫り込んだ意匠の凹部にインクを充填したり、微細なプリズム形状に意匠を加工したりすることで形成している。
【００２４】
表示意匠２２は、従来の技術で説明したように、文字板２１の外周端面に対向配置している、例えばＬＥＤ（発光ダイオード）、バルブ等の光源３０から文字板２１内を導光した光によって発光する。なお、光源３０の数については、任意に定められる。
【００２５】
また、基板１７には、文字板２１のアナログ表示領域２１ｂと表ガラス５１とを介してアイレンジＥＲから視認可能なように、ＬＣＤ（液晶ディスプレイ）等の表示デバイス４０をアナログ表示領域２１ｂと対向配置している。この表示デバイス４０は、例えば、ナビゲーションに関する各種キャラクタやウォーニング意匠等を表示する。
【００２６】
次に、上述した構成の車両用表示装置における表示に関する動作（作用）を説明する。
【００２７】
車両用表示装置は、車両のイグニッション・スイッチのＯＮ動作に応じて起動されると、光源３０に給電を開始する。そして、光源３０が発した光は、外周端面から文字板２１に入射され、表示意匠２２に導光され、この光が表示意匠２２で反射されることで、表示意匠２２が光輝する。そして、表示意匠２２の発した光が、アイポイントＥＰから表ガラス５１を介して視認されることで、運転者等は表示意匠２２を視認する。そして、運転者等は、その表示意匠２２と発光する指針１６の指示部と協働して計測量が指示される。
【００２８】
表示デバイス４０の表示に応じて表示デバイス４０が発した光は、文字板２１のアナログ表示領域２１ｂと表ガラス５１を通ってアイポイントＥＰに到達することで、運転者等にその表示内容が視認される。
【００２９】
また、図２の光路Ｌ１〜Ｌ４に示すように、表示意匠２２の発した光が表ガラス５１の裏面で文字板２１に向かって反射すると、この反射光は文字板２１のアナログ表示領域２１ｂの表面にて、車両のアイレンジＥＲから外れた方向に向かって反射される。特に、光路Ｌ３，Ｌ４は、図３に示すように、アイレンジＥＲが車両の幅方向に移動しても、表ガラス５１の裏面で文字板２１側に反射した反射光がアイレンジＥＲに入らないようになっている。
【００３０】
よって、表ガラス５１の裏面で反射した反射光は、運転者等に視認されないことから、車両用表示装置におけるゴーストの発生を防止することができる。しかも、文字板２１と表ガラス５１の形状を、お互いの角度や曲率などを変化させて決定しているので、ゴースト防止のために、メータフード６１を必要以上に大型化する必要がなくなり、車両の車両用表示装置の設置スペースを必要以上に確保する必要もなくなるため、多種多様な車両に本発明の車両用表示装置を適用することができる。また、ＡＲ処理、シボ加工等を文字板の表面に施す必要がなくなるため、コスト高の問題も発生しない。
【００３１】
さらに、本発明の車両用表示装置によれば、表ガラス５１の形状に応じて文字板２１の形状を変化させることができるため、１次曲面だけでなく、２次曲面（球状、楕円状）の表ガラス５１を用いることが可能となるとともに、表ガラス５１を上向きでも下向きでも配置することが可能となるので、車両用表示装置の商品価値を高めることができる。
【００３２】
また、上述した本実施の形態では、文字板２１が略円形状の場合について説明したが、本発明はこれに限定するものではなく、表ガラス５１の形状に応じて例えば、すり鉢状など種々異なる文字板２１の形状とすることができる。
【００３３】
例えば、図５は本発明に係る楕円状の文字板の正面、右側面、右側面断面、下側面、下側面断面の一例を示す図である。図５（ａ）〜（ｅ）に示すように、文字板２１の正面が略楕円状とし、図５（ｃ）の右側面断面と図５（ｅ）の下側面断面に示すように、文字板２１の縦横のすり鉢の角度が異なるような略円錐状（すり鉢状）に形成することもできる。
【００３４】
また、図６は本発明の文字板の他の配置例を説明するための図である。上述した実施の形態では、シースルー領域２１ａが装置の内部側寄りとなるように設ける場合について説明したが、図６に示すように、表ガラス５１の形状等によっては文字板２１のシースルー領域２１ａが表ガラス５１側寄りとなるように設けてもよい。そして、この場合も、表示意匠２２は、アイポイントＥＰからの視認方向（図中矢印）とは逆の面（文字板の裏面）に施すのが好ましい。
【００３５】
さらに、上述した実施の形態では、文字板２１のシースルー領域２１ａが車両用表示装置として不要な領域であるため、シースルー領域２１ａを穴状とすることで、指針１２の映り込みを極力少なくしているが、他の構成により指針１６の映り込みを防止することもできる。
【００３６】
図７は本発明の文字板の他の実施の形態を示す図である。そして、図７に示すように、文字板２１の中心から所定の半径を有する略円形状の印刷領域２１ｃを、アナログ表示領域２１ｂが囲むように形成することもできる。例えば、図７（ｃ）に示すように、印刷領域２１ｃとなる略円形状の円盤部から、略円錐状のアナログ表示領域２１ｂが連設するように、文字板２１が透光性部材によって形成され、その円盤部の表面に黒印刷や反射を抑えるＡＲ処理、シボ加工等が施されることで文字板２１が完成する。このような構成としても、文字板２１の映り込みを極力小さくすることができる。
【００３７】
また、上述した本実施の形態では、文字板２１が透明な場合について説明したが、本発明はこれに限定するものではなく、本発明の車両用表示装置によれば、表ガラス５１の表面で反射した反射光はアイレンジＥＲに向かわないため、文字板２１を明るい色とすることができるため、車両用表示装置の商品価値を高めることができる。
【００３８】
【発明の効果】
以上説明したように請求項１に記載した本発明の車両用表示装置によれば、表ガラスの裏面で文字板側で反射した反射光を、車両のアイレンジから外れた方向に反射するように文字板を形成していることから、その反射光が運転者等に視認されることがないため、簡単な構成でゴーストのない表示を行うことができる車両用表示装置を提供することができる。
【００３９】
請求項２に記載の発明によれば、請求項１に記載の発明の効果に加え、表示デバイスを文字板及び表ガラスを介して視認させるために、文字板を反射率の高い透明部材で形成しても、表ガラスの裏面で文字板側で反射した反射光を、車両のアイレンジから外れた方向に反射するように文字板を形成していることから、その反射光が運転者等に視認されることがないため、確実にゴーストの発生を防止することができる。
【図面の簡単な説明】
【図１】本発明に係る車両用表示装置の正面図の一例を示す図である。
【図２】図１の直線Ａ−Ａを通る矢印方向の断面図である。
【図３】図１の直線Ｂ−Ｂを通る文字板及び表ガラスの断面図である。
【図４】本発明に係る文字板の正面、側面、断面の一例を示す図である。
【図５】本発明に係る楕円状の文字板の正面、右側面、右側面断面、下側面、下側面断面の一例を示す図である。
【図６】本発明の文字板の他の配置例を説明するための図である。
【図７】本発明の文字板の他の実施の形態を示す図である。
【図８】従来のエッジライト方式を用いた車両用表示装置の構成例を示す図である。
【図９】図８の車両用表示装置における問題を解決する構成の一例を示す図である。
【符号の説明】
１０          指針機構
２１          文字板
２１ａ        シースルー領域
２１ｂ        アナログ表示領域
２２          表示意匠
３０          光源
５１          表ガラス
ＥＲ          アイレンジ
【図１】
2004361260.tif 000003
【図２】
2004361260.tif 000004
【図３】
2004361260.tif 000005
【図４】
2004361260.tif 000006
【図５】
2004361260.tif 000007
【図６】
2004361260.tif 000008
【図７】
2004361260.tif 000009
【図８】
2004361260.tif 000010
【図９】
2004361260.tif 000011